(57)【特許請求の範囲】
【請求項１】
密封された筐体（１）と、前記筐体（１）内に設置された複数の熱交換チューブ（３）とを備え、前記筐体（１）内には第１チューブプレートと第２チューブプレート（１３）とが平行に設置され、各熱交換チューブ（３）の両端が前記第１チューブプレートと前記第２チューブプレート（１３）とにそれぞれ位置決めされた熱交換器の構造において、
各熱交換チューブ（３）は螺旋巻き数が複数巻きの螺旋チューブを構成し、各巻きの螺旋チューブは順に内外に間隔を置いて設置され、各巻きの螺旋チューブ内には更に第１ガスチューブ（４）が同一方向に螺旋状に巻き回されており、前記各第１ガスチューブ（４）における前記筐体（１）の底部を向くチューブ壁には複数の第１気孔（４１）が分布しており、前記各第１ガスチューブ（４）の吸気口と排気口はいずれも外部の気体供給源に連通していることを特徴とする熱交換器の構造。
【請求項２】
前記各巻きの螺旋チューブ内には更に第２ガスチューブ（５）が同一方向に螺旋状に巻き回されており、前記各第２ガスチューブ（５）における前記筐体（１）の上部を向くチューブ壁には複数の第２気孔（５１）が分布しており、前記各第２ガスチューブ（５）の吸気口と排気口はいずれも外部の気体供給源に連通し、第２ガスチューブ（５）と外部の気体供給源の間にはバルブが設けられていることを特徴とする請求項１記載の熱交換器の構造。
【請求項３】
前記第２ガスチューブ（５）の開孔率は２〜１０％であり、且つ前記第２気孔が均一に分布していることを特徴とする請求項２記載の熱交換器の構造。
【請求項４】
隣接する二巻きの前記螺旋チューブの螺旋方向は互いに逆方向であることを特徴とする請求項１〜３のいずれか１項記載の熱交換器の構造。
【請求項５】
前記第１気孔（４１）は開孔率が２〜１０％であり、且つ均一に分布していることを特徴とする請求項４記載の熱交換器の構造。
【請求項６】
前記各巻きの螺旋チューブ内には、同一方向に螺旋状に巻き回された熱交換チューブ（３）が複数備えられていることを特徴とする請求項５記載の熱交換器の構造。
【請求項７】
前記第１チューブプレートと前記第２チューブプレート（１３）の間に位置するとともに、両端がそれぞれ前記第１チューブプレートと前記第２チューブプレート（１３）に支持された芯体（２）を更に備え、前記各巻きの螺旋チューブは当該芯体（２）を中心に螺旋状に巻き回されたことを特徴とする請求項４記載の熱交換器の構造。
【発明の詳細な説明】
【技術分野】
【０００１】
本発明は化学工業機器分野に関し、具体的には熱交換器の構造に関する。
【背景技術】
【０００２】
省エネ、排出削減及び原油の品質劣化を背景に、熱交換器等の冷却機器を通過した原料媒体は一般に汚れており、粘度が高い。汚れた高粘度の媒体は、熱交換器を通過する際に、熱交換器の内壁に堆積するほか、重要なこととして、熱交換器内での媒体の流動性及び流動分布の均一性に影響を及ぼす。もし、熱交換器の筐体内における媒体が気液二相であって、気液二相が２つのチューブ口からそれぞれ熱交換器の筐体内に流入する場合には、高粘度の媒体は媒体二相の均一な混合に必ず影響を及ぼす。混合が不均一であれば、流体に偏流を生じさせるだけでなく、熱交換器の熱交換効率にも影響して熱交換効果が技術的な要求を満たさなくなり、機器の長期的な安定運転を阻むおそれがある。また、機器の熱交換効率を向上させるために、チューブ束等の熱交換部材は緊密に配置されて間隔が狭くなりがちなことから、熱交換器の筐体内における流体の混合が不均一となって、熱交換効率に影響を及ぼすことがある。
【発明の概要】
【発明が解決しようとする課題】
【０００３】
本発明は、上記従来技術における現状を鑑みて、安定的に運転可能であるとともにサイクルが長く、且つ熱交換効率が良好で、適用範囲の広い熱交換器の構造を提供することを解決すべき技術的課題とする。
【課題を解決するための手段】
【０００４】
本発明は、上記技術的課題を解決するために以下の技術方案を用いた。即ち、本発明は、密封された筐体と、前記筐体内に設置された複数の熱交換チューブとを備え、前記筐体内には第１チューブプレートと第２チューブプレートとが平行に設置され、各熱交換チューブの両端が前記第１チューブプレートと前記第２チューブプレートとにそれぞれ位置決めされた熱交換器の構造において、
前記各熱交換チューブは螺旋巻き数が複数巻きの螺旋チューブを構成し、各巻きの螺旋チューブは順に内外に間隔を置いて設置され、各巻きの螺旋チューブ内には更に第１ガスチューブが同一方向に螺旋状に巻き回されており、前記各第１ガスチューブにおける前記筐体の底部を向くチューブ壁には複数の第１気孔が分布しており、前記各第１ガスチューブの吸気口と排気口はいずれも外部の気体供給源に連通していることを特徴としている。
【０００５】
その改良として、前記各巻きの螺旋チューブ内には第２ガスチューブが同一方向に螺旋状に巻き回されており、前記各第２ガスチューブにおける前記筐体の上部を向くチューブ壁には複数の第２気孔が分布しており、前記各第２ガスチューブの吸気口と排気口はいずれも外部の気体供給源に連通し、第２ガスチューブと外部の気体供給源の間にはバルブが設けられていてもよい。当該構造は、システムに圧力低下が生じたり、ホットエンドの温度差が明らかに拡大したりした場合に選択的に第２気孔が開放されて、攪動(disturbance)の強化を可能とする。
【０００６】
前記第２ガスチューブの開孔率が２〜１０％であり、且つ前記第２気孔が均一に分布していることがより好ましい。この場合には、より良好な攪動の効果が得られる。
【０００７】
熱交換効果を保証するためには、隣接する二巻きの前記螺旋チューブの螺旋方向は互いに逆方向とされる。
【０００８】
上記各方案において、前記第１気孔は開孔率が２〜１０％であり、且つ均一に分布していることが好ましい。同様の理由により、この開孔構造においてもより良好な攪動の効果が得られる。
【０００９】
要求される熱交換に応じて、前記各巻きの螺旋チューブ内に、同一方向に螺旋状に巻き回された熱交換チューブを複数備えてもよい。いうまでもなく、各巻きの螺旋チューブは１つの熱交換チューブのみを螺旋状に巻き回す構成でもよい。
【００１０】
更に、前記第１チューブプレートと前記第２チューブプレートの間に位置するとともに、両端がそれぞれ前記第１チューブプレートと前記第２チューブプレートとに支持された芯体を備え、前記各巻きの螺旋チューブが当該芯体を中心に螺旋状に巻き回されていてもよい。これにより、各巻きの螺旋チューブが巻き回された後により安定し、且つ組み立てが容易になる。
【発明の効果】
【００１１】
従来技術と比べて、本発明は筐体内に第１ガスチューブを設置したため、筐体内の流体を内部から攪動できる。そして、第１ガスチューブが螺旋状チューブ束そのものの内部に配置されたため、覆われる面積が大きく、プロセスガスが各気孔内から三次元の立体の網目状に吐出し、筐体の流体を全方位に攪動する。これより、流体媒体が汚れていたり高粘度であったり、更にはチューブ間隔及び螺旋の巻き間隔が緊密であったとしても、流体媒体を継続的に均一に混合でき、筐体内における流体の堆積を効果的に回避し、熱伝導効率を高め、熱交換効果を改善する。特に、筐体内の熱交換媒体が二相混合媒体の場合には、熱交換媒体を更に均一に混合する作用が奏されるため、偏流の発生を回避し、機器における長期的な安定運転を効果的に保証する。
【００１２】
また、本発明が提供する２つのガスチューブは、設備運休のメンテナンス時にパージチューブとしても使用できる。そして、良好なパージ効果を奏するので、機器詰まりによる効果低下のおそれを効果的に低減させる。また、機器底部の不純物堆積空間及び作業員用孔と合わせて用いることで、従来のパージ構造では除去不可能であった不純物を除去できる。特に、取外しできない熱交換器において、内部の洗浄、パージ及びメンテナンスに適している。
【００１３】
また、熱交換チューブは、螺旋状の内外配置構造を採用しているため、いろいろな粘度の原料を十分且つ均一に混合できる。そして、良好な混合効果を奏するので、熱交換効率をより一層向上させ得る。
【図面の簡単な説明】
【００１４】
【図１】本発明の実施例における組み立て構造を示す平面模式図である。
【図２】本発明の実施例における第１（第２）ガスチューブの平面構造の模式図である。
【発明を実施するための形態】
【００１５】
以下、図面と実施例を組み合わせて本発明を更に詳細に説明する。
【００１６】
図１及び図２に示すように、本実施例では縦型熱交換器を例に説明するが、本発明の技術は横型熱交換器にも同様に適用できる。当該熱交換器の構造は密封構造の筐体１を備える。
【００１７】
筐体１は、直立する筒体１１と、筒体１１の両端に設けられた上蓋（図示しない）及び下蓋１２とを備えてなる。筐体１における筒体１１の両端には、互いに平行な第１チューブプレート（図示しない）と第２チューブプレート１３とが更に設けられている。筐体１には、チューブ入口（図示しない）、チューブ出口１４、筐体気相入口１５、筐体液相入口１６、筐体出口（図示しない）及びドレン排出口１７が設けられており、当該ドレン排出口１７は、設備運休のメンテナンス時に、メンテナンス員用孔として用いることができる。筐体１には気体入口１８及び気体出口（図示しない）が更に設けられている。第１チューブプレート及び第２チューブプレート１３には、後述する熱交換チューブ３の両端が挿通されるチューブ孔が複数設けられている。
【００１８】
芯体２が第１チューブプレートと第２チューブプレート１３の間に位置し、芯体２の両端はそれぞれ第１チューブプレートと第２チューブプレート１３とによって支持される。
【００１９】
熱交換チューブ３は複数本あり、これら熱交換チューブ３は複数組に分けられる。各組は、熱交換チューブ３を１本備えてもよいし複数本備えてもよく、必要に応じて設定できる。熱交換チューブ３は各組ごとに芯体２を中心として螺旋状に巻き回され、順に内外に間隔を置いて設置された螺旋巻き数が複数巻きの螺旋チューブを形成する。本実施例では、内外に隣接する二巻きの螺旋チューブの螺旋方向は互いに逆方向である。これら熱交換チューブ３の入口端と出口端はそれぞれ第１チューブプレート及び第２チューブプレート１３の対応するチューブ孔を貫通して、チューブ入口及びチューブ出口１４に連通している。螺旋チューブの巻き数は、熱交換器の規模や実際の必要性に応じて設定すればよく、例えば２巻き、５巻き乃至は更に多数回巻きとすることができる。
【００２０】
第１ガスチューブ４は筐体内をエアパージするために用いられ、ホットエンドの温度差に影響しないことを前提に機器運転時には常に開いている。これにより、筐体内の流体が攪動されて、筐体内を通過する物の流れに攪動流(turbulent flow)を生じさせ、筐体内における流体の混合状況を改善し、筐体１内での流体堆積を防止する。第１ガスチューブ４は芯体２を中心に螺旋状に巻き回されており、複数本設けてもよいが、その本数は螺旋チューブの巻き数に等しい。即ち、螺旋チューブの各巻きごとに第１ガスチューブ４が１本設けられており、第１ガスチューブ４と、当該第１ガスチューブ４が位置する巻きの熱交換チューブ３との螺旋方向は同じである。第１ガスチューブ４における筐体１の底部を向くチューブ壁には複数の第１気孔４１が均一に分布している。図２には第１気孔４１の一部のみを示しているが、本実施例では、各第１ガスチューブ４における第１気孔４１の開孔率は７％である。開孔率は具体的状況に合わせて設定すればよく、例えば、チューブ内の流体成分、組成、熱交換器の規模等の状況に応じて２〜１０％の間で具体的に設定される。第１ガスチューブ４の吸気口は、第２チューブプレート１３を貫通して筐体１の気体入口１８に連通しており、第１ガスチューブ４の排気口は、第１チューブプレートを貫通して筐体１の気体出口に連通している。気体入口１８と気体出口はいずれも外部の気体供給源に連通しており、本実施例ではプロセスガスと連通している。
【００２１】
第２ガスチューブ５はチューブ内をエアパージするために用いられ、主としてシステムの圧力低下が増大した場合や、ホットエンドの温度差が明らかに拡大した場合に選択的に開放され、第１ガスチューブ４内から吐出される気流と協働して攪動を強化させる効果をもたらす。第２ガスチューブ５もまた芯体２を中心に螺旋状に巻き回されており、複数本設けてもよいが、その本数は螺旋チューブの巻き数に等しい。即ち、螺旋チューブの各巻きごとに第２ガスチューブ５が１本設けられており、第２ガスチューブ５と、当該第２ガスチューブ５が位置する巻きの熱交換チューブ３との螺旋方向は同じである。第２ガスチューブ５における筐体１の上部を向くチューブ壁には複数の第２気孔５１が均一に分布している。本実施例では、各第２ガスチューブ５における第２気孔５１の開孔率は７％である。開孔率は具体的状況に合わせて設定すればよく、例えば、チューブ内の流体の組成、熱交換器の規模など具体的状況に応じて２〜１０％の間で具体的に設定される。第２ガスチューブ５の吸気口は、第２チューブプレート１３を貫通して筐体１の気体入口１８に連通しており、第２ガスチューブ５の排気口は、第１チューブプレートを貫通して筐体１の気体出口に連通している。また、第２ガスチューブ５における気体の流通と遮断を制御するバルブ（図示しない）が設けられており、選択的に開放される。
【００２２】
当該熱交換器の動作原理は、次の通りである。
【００２３】
熱交換器が正常に動作している場合には、第１ガスチューブ４は常に開いており、プロセスガスが各第１気孔４１から吐出し、筐体内の流体を三次元の全方位に攪動して筐体内の流体を十分均一に混合するとともに、汚物が各熱交換チューブ３の表面や筐体１の内壁に堆積する可能性を低下させる。これにより、熱交換効率を効果的に高めて、機器の長期的な安定運転を保証する。
【００２４】
システムの圧力低下が増大したり、ホットエンドの温度差が明らかに拡大したりした場合には、第２ガスチューブ５のバルブが開放制御される。これにより、プロセスガスを第１気孔４１と第２気孔５１から同時に吐出して、筐体内の流体の攪動を強化し、システムの圧力低下を安定化させるとともに、ホットエンドの温度差のバランスをとる。
【００２５】
機器の運転停止状態で筐体内をパージする必要がある場合には、プロセスガス又はパージ用気体を第１気孔４１及び第２気孔５１から直接吹き込むことで機器をパージする。なお、従来技術におけるパージチューブは、一般に熱交換チューブ３の底部に設けられており、底部のパージチューブに近接した領域ではパージ効果が良好であるが、パージチューブから離間した底部では効果に劣っており、特に、熱交換チューブ３の外壁に堆積した汚物は除去できない。本願の技術方案はこのような課題を完全に回避しており、パージ面積が大きいだけでなく、パージ効果も良好である。また、死角がないため、熱交換チューブ３の外側に汚物が堆積して詰まることによる熱交換チューブ３の効果喪失のおそれを大幅に低減している。また、メンテナンス員用孔と合わせることで、通常のパージ構造では除去不可能な不純物を除去できる。
【００２６】
機器の運転停止状態で機器を化学洗浄したい場合には、筐体１の気体入口１８を洗浄液パイプに接続し、洗浄液を第１気孔４１と第２気孔５１から吐出させればよい。これにより、洗浄液の流速が加速され、化学洗浄効果が向上する。
【図１】
0005934845.tif 000002
【図２】
0005934845.tif 000003